(57)【要約】【課題】  充電時に電動歯ブラシを衛生的に保持する。【解決手段】  充電スタンドの上端部に、充電誘導一次側回路及び一次側充電面を設けると共に、充電スタンド下部に受皿を着脱自在に設置し、  電動歯ブラシ柄に、上記充電スタンドの上端部又はその近傍に着脱自在に係止して電動歯ブラシ全体を、ブラシを下向きで、吊支可能の吊支アームを突設し、上記吊支アームに、充電誘導二次側回路及び二次側充電面を設け、  上記電動歯ブラシを吊支アームにて上記充電スタンドに吊支したとき、そのブラシを上記受皿上に位置させ、二次側充電面を上記一次側充電面に当接させる位置決め手段を設けた、充電セット。【選択図】    図１
2011143039.tif 000002
【特許請求の範囲】
【請求項１】
充電スタンドは、
座板から起立したスタンドの上端部又はその近傍に、充電誘導一次側回路を内蔵すると共に、上記一次側回路に対応する外側面に一次側充電面を形成し、充電スタンドの下部に、ブラシの水滴を受け取るべき受皿を着脱自在に設置してあり、
電動歯ブラシは、
蓄電池、モータ等を内蔵する筒状柄の一端から、先端にブラシを有するブラシ軸を突出し、上記柄の外周から横方向に張り出すアームであって、上記スタンドの上端部又はその近傍に着脱自在に係止して電動歯ブラシ全体を、ブラシを下向きで、吊支可能の吊支アームを突出し、上記吊支アームの上記スタンドへの係止時における上記充電誘導一次側回路に対向する位置に、充電誘導二次側回路を内蔵すると共に、上記二次側回路に対応する外側面に二次側充電面を形成してあり、
上記電動歯ブラシを上記吊支アームにて上記充電スタンドに吊支したとき、そのブラシが上記受皿上に位置し且つその二次側充電面が上記一次側充電面に当接する位置に電動歯ブラシを位置決めする手段を備えた、
電動歯ブラシと充電スタンドとの充電セット。
【発明の詳細な説明】
【技術分野】
【０００１】
本願発明は、電動歯ブラシと、該電動歯ブラシに充電を行う充電スタンドとの充電セットに関する。
【背景技術】
【０００２】
従来、この種の充電セットとして、充電誘導二次側コイル、蓄電池、リニヤモータ等を内蔵する柄の上端からブラシ軸を突出し、柄の下端面を、上記充電誘導二次側コイルに対応する二次側充電面とする電動歯ブラシと、充電誘導一次側コイルを内蔵する台の上面に、上記電動歯ブラシの柄下端部を着脱自在に嵌合すべき保持穴を形成し、該保持穴の内底面を、上記充電誘導一次側コイルに対応する一次側充電面とした充電台とからなる充電セットであって、上記電動歯ブラシにより歯みがきを行った後、充電を行う場合は、上記電動歯ブラシの下端部を上記充電台の保持穴に嵌合して、上記蓄電池に非接触の誘導充電を行うものが広く知られている。
【０００３】
しかし、上記の従来セットでは、充電時に、電動歯ブラシを、水分を含んだブラシをそのまま上に向けて充電台に起立保持させるため、ブラシの水分が充電台の保持穴内に流下して保持穴内を汚損し、時には腐敗を生じる等の不衛生を招く欠点があった。
【発明の概要】
【発明が解決しようとする課題】
【０００４】
本願発明は、充電時に電動歯ブラシを衛生的に保持することのできる電動歯ブラシと充電スタンドとの充電セットを提供することを課題とする。
【課題を解決するための手段】
【０００５】
上記課題解決の手段として、本願発明は、
充電スタンドは、
座板から起立したスタンドの上端部又はその近傍に、充電誘導一次側回路を内蔵すると共に、上記一次側回路に対応する外側面に一次側充電面を形成し、充電スタンドの下部に、ブラシの水滴を受け取るべき受皿を着脱自在に設置してあり、
電動歯ブラシは、
蓄電池、モータ等を内蔵する筒状柄の一端から、先端にブラシを有するブラシ軸を突出し、上記柄の外周から横方向に張り出すアームであって、上記スタンドの上端部又はその近傍に着脱自在に係止して電動歯ブラシ全体を、ブラシを下向きで、吊支可能の吊支アームを突出し、上記吊支アームの上記スタンドへの係止時における上記充電誘導一次側回路に対向する位置に、充電誘導二次側回路を内蔵すると共に、上記二次側回路に対応する外側面に二次側充電面を形成してあり、
上記電動歯ブラシを上記吊支アームにて上記充電スタンドに吊支したとき、そのブラシが上記受皿上に位置し且つその二次側充電面が上記一次側充電面に当接する位置に電動歯ブラシを位置決めする手段を備えた、
電動歯ブラシと充電スタンドとの充電セットを提案する。
【発明の効果】
【０００６】
本願発明の電動歯ブラシと充電スタンドとの充電セットによれば、歯みがきに使用した電動歯ブラシを吊支アームにて、ブラシを下向きで位置決めしつつ、充電スタンドに吊支すれば、直ちに充電可能の状態におくことができると共に、水分を含んだブラシを受皿上に位置させ、その水分を受皿内に流下させることができ、又水がたまった受皿は充電スタンドから外して洗浄することもできるから、常に衛生的に保つことができるのである。
【図面の簡単な説明】
【０００７】
【図１】（イ）本願発明の第１実施例の一部切欠側面図である。                          （ロ）同上電動歯ブラシの底面図である。                                      （ハ）同上充電スタンドの平面図である。
【図２】（イ）本願発明の第２実施例の一部切欠側面図である。                          （ロ）同上電動歯ブラシの底面図である。                                      （ハ）同上充電スタンドの平面図である。
【図３】（イ）本願発明の第３実施例の一部切欠側面図である。                          （ロ）同上電動歯ブラシの底面図である。                                      （ハ）同上充電スタンドの平面図である。
【発明を実施するための形態】
【０００８】
本願発明における上記充電誘導一次側及び二次側「回路」には、ボビン形心、馬蹄形心、環状心に巻かれたボビン型コイル、馬蹄型コイル、環型コイル等のコイル、その他種々のものが使用される。
又、上記電動歯ブラシの「位置決めの手段」には、上記電動歯ブラシに設けた係止部材又は受け部材を、充電スタンドに設けた受け部材又は係止部材に着脱自在に係止する各種構造の手段がある。
上記受皿は、上記座板上、又は適宜の支持部材上に着脱自在に支持させるとよい。
【実施例１】
【０００９】
図１（イ）、（ロ）、（ハ）において、電動歯ブラシ（１）は、円筒状の柄（２）の一端から、先端にブラシ（４）を有するブラシ軸（３）を柄（２）軸線延長上に突出してあり、充電スタンド（５）は、座板（６）の上面一側部に、上記電動歯ブラシ（１）よりも若干長い円筒状のスタンド（７）を垂直に起立し、起立上端部に充電誘導一次側コイル（８）を内蔵すると共に、上記スタンド（７）上端面に、上記充電誘導一次側コイル（８）に対応する一時側充電面（９）を形成してある。
【００１０】
上記電動歯ブラシ（１）の柄（２）他端には、横方向に張り出すアームであって、上記充電スタンド（５）のスタンド（７）上端面上に係脱自在に係止して電動歯ブラシ（１）全体を、ブラシ（４）を下向きで、吊支できる吊支アーム（１０）を突設し、この吊支アーム（１０）の張り出し部に、上記スタンド（７）の充電誘導一次側コイル（８）に対応する位置で、充電誘導二次側コイル（１１）を内蔵すると共に、上記張り出し部下面に上記二次側コイル（１１）に対応する二次側充電面（１２）を形成してある。
【００１１】
上記充電スタンド（５）の座板（６）上には、上記スタンド（７）に吊支された電動歯ブラシ（１）のブラシ（４）の直下位置に、凹みを形成し、該凹みに受皿（１３）を着脱自在に設置してある。
【００１２】
電動歯ブラシ（１）の柄（２）内に、上記二次側コイル（１１）と接続された蓄電池（１４）、制御回路（１５）、リニヤモータ（１６）等が内蔵されている。（１７）は充電スタンド（５）がわの電源プラグである。
【００１３】
上記電動歯ブラシ（１）の位置決め手段は次のようである。まず、上記充電スタンド（５）のスタンド（７）上端面における一次側充電面（９）の中心に短小の係止ピン（１８）を突設し、これに対応して上記電動歯ブラシ（１）の吊支アーム（１０）下面における二次側充電面（１２）の中心に、上記係止ピン（１８）と嵌脱自在の受け穴（１９）を設け、一方上記電動歯ブラシ（１）の柄（２）における吊支アーム（１０）がわ端部に、該柄（２）より若干径の大きい短円筒状係止ドラム（２０）を同心的に設け、これに対応して上記スタンド（７）の上端部に、上記係止ドラム（２０）が回転自在に係合すべき半円弧の受け孔（２２）を有する二又状受けアーム（２１）を水平に突設してある。
【００１４】
上記電動歯ブラシ（１）の係止ドラム（２０）を受けアーム（２１）の半円弧の受け孔（２２）に係合すると共に、吊支アーム（１０）の受け穴（１９）をスタンド（７）の係止ピン（１８）に被嵌した２点係止により、電動歯ブラシのブラシ（４）を受皿（１３）上に垂下した状態で、二次側充電面（１２）を一次側充電面（９）に当接させた充電可能の状態に位置決めする位置関係におかれている。
【００１５】
今、電動歯ブラシ（１）により歯みがきを行った後、該電動歯ブラシ（１）を、ブラシ（４）を下に向けた状態で、吊支アーム（１０）により充電スタンド（５）に吊支し、上述のように係止ドラム（２０）を受けアーム（２１）の受け孔（２２）に係止し、受け穴（１９）を係止ピン（１８）に被嵌すれば、ブラシ（４）が受皿（１３）の直上に位置して、ブラシに含まれる水分を受皿（１３）に流下させ、又一次充電面（９）に二次充電面（１２）を当接して電動歯ブラシ（１）の蓄電池（１４）への充電を開始する。水がたまった受皿（１３）は座板（６）から外して洗浄し、再び座板（６）の凹みに設置する。
【実施例２】
【００１６】
図２（イ）、（ロ）、（ハ）の他の実施例は、電動歯ブラシ（１ａ）の係止ドラム（２０ａ）を非円形（本例では正六角形）のドラムとし、充電スタンド（５ａ）の二又状受けアーム（２１ａ）の受け孔（２２ａ）を、上記係止ドラム（２０ａ）が回転不能に係止すべく半非円形（本例では半正六角形）とし、且つ二又部の開口幅（ｄａ）を、受け孔（２２ａ）の最大径よりも狭小で、歯ブラシの柄（２ａ）の直径よりわずか広くし、この係止ドラム（２０ａ）と受け孔（２２ａ）の係合のみにより電動歯ブラシ（１ａ）の位置きめを行う。他の構造は図１（イ）、（ロ）、（ハ）と実質的に同一である。
【実施例３】
【００１７】
図３（イ）、（ロ）、（ハ）のさらに他の実施例は、吊支アーム（１０ｂ）を、柄（２ｂ）のブラシ（４ｂ）がわ端部近くに固定したフランジ状のものとし、該フランジ状吊支アーム（１０ｂ）により、柄（２ｂ）を把持して歯みがきを行う際ブラシ軸（３ｂ）を伝って流下する水だれを防止することができるようにし、又電動歯ブラシ（１ｂ）の位置決め手段として、上記柄（２ｂ）のブラシ（４ｂ）がわ端部に、非円形（本例では太鼓形）の係止ドラム（２０ｂ）を同心的に設けると共に、受けアーム（２１ｂ）に、上記係止ドラム（２０ｂ）を同心的に設けると共に、受けアーム（２１ｂ）に、上記係止ドラム（２０ｂ）が回転不能に係止すべき非円形（本例では太鼓形）の受け孔（２２ｂ）を設け、この係止ドラム（２０ｂ）と受け孔（２２ｂ）の係止のみによって位置決めを行う。
【００１８】
さらに、上記受けアーム（２１ｂ）の受け孔（２２ｂ）周囲に環状の充電誘導一次側コイル（８ｂ）を内蔵すると共に、それに対応する一次側充電面（９ｂ）を形成し、上記吊支アーム（１０ｂ）に、環状充電誘導二次側コイル（１１ｂ）を内蔵すると共に、それに対応する二次側充電面（１２ｂ）を形成してある。他の構造は図１（イ）、（ロ）、（ハ）と実質的に同一の例である。
【符号の説明】
【００１９】
１、１ａ、１ｂ  電動歯ブラシ
２、２ａ、２ｂ  柄
３、３ａ、３ｂ  ブラシ軸
４、４ａ、４ｂ  ブラシ
５、５ａ、５ｂ  充電スタンド
６、６ｂ  座板
７、７ａ、７ｂ  スタンド
８、８ａ、８ｂ  充電誘導一次側コイル
９、９ａ、９ｂ  一次側充電面
１０、１０ａ、１０ｂ  吊支アーム
１１、１１ａ、１１ｂ  充電誘導二次側コイル
１２、１２ａ、１２ｂ  二次側充電面
１３、１３ｂ  受皿
１４  蓄電池
１６  リニヤモータ
【図１】
2011143039.tif 000003
【図２】
2011143039.tif 000004
【図３】
2011143039.tif 000005